(57)【要約】【課題】カートリッジの取り外しが簡単に行え、交換が容易なカートリッジ式塗膜転写具を提供する。【解決手段】ケース本体４はアッパーケース３６の上壁３８にスライド部材４８を備えている。スライド部材４８に設けられたテーパ部６６は高さ方向においてテープカートリッジ７０のロワーカートリッジケース１０８よりも下方まで伸びている。この状態からスライド部材４８を先端側にスライドさせると、テープカートリッジ７０の後端部がスライド部材４８のテーパ部６６に乗り上がった状態で段部６４に当接するまで持ち上げられる。これにより、ケース本体４とテープカートリッジ７０との取り付けに用いられている係合爪１０２ａ，ｂと係合孔３４ａ，ｂの係合を外すことができる。【選択図】図４
2010240972.tif 000002
【特許請求の範囲】
【請求項１】
ケース本体と、
カートリッジケースと、該カートリッジケースに収受された、塗膜転写テープが巻かれた供給リールと、前記塗膜転写テープを巻き取る巻き取りリールと、前記塗膜転写テープが掛け回される転写ヘッドとを有し、前記ケース本体に着脱自在に取付けられるテープカートリッジと、
を備えるカートリッジ式塗膜転写具であって、
前記ケース本体と前記テープカートリッジの内どちらか一方は弾性変形可能な弾性部と、該弾性部の表面から突出した係合凸部とを有し、
他方は前記係合凸部と係合する係合孔を有し、
前記ケース本体にはスライド部材が設けられており、
該スライド部材をスライドさせることにより、前記テープカートリッジを前記ケース本体に対して移動させ、前記係合凸部と前記係合孔との係合が外れることを特徴とする、
カートリッジ式塗膜転写具。
【請求項２】
請求項１記載のカートリッジ式塗膜転写具において、
前記スライド部材はテーパ面及び／又はアール状の凸面を有し、
前記スライド部材をスライドさせたときに、該テーパ面及び／又はアール状の凸面が前記テープカートリッジに形成された当接部の下側に進入して当接し、前記テープカートリッジを持ち上げることにより前記係合凸部と前記係合孔との係合が外れることを特徴とする、
カートリッジ式塗膜転写具。
【請求項３】
請求項２記載のカートリッジ式塗膜転写具において、
前記ケース本体と前記テープカートリッジは少なくとも前記転写ヘッド側の端部に前記係合凸部と前記係合孔が設けられており、
前記当接部は前記テープカートリッジの、前記転写ヘッドと反対側の端部近くに設けられていることを特徴とする、
カートリッジ式塗膜転写具。
【請求項４】
請求項２又は３記載のカートリッジ式塗膜転写具において、
前記ケース本体の周壁と前記カートリッジケースの周壁はそれぞれ、互いに対面し、前記テープカートリッジの前記転写ヘッド側への移動を阻止し得る当接面を有し、
該当接面は、前記スライド部材で前記テープカートリッジを持ち上げる際に前記テープカートリッジの移動の妨げにならない形状とされていることを特徴とする、
カートリッジ式塗膜転写具。
【請求項５】
請求項１乃至４のいずれか１記載のカートリッジ式塗膜転写具において、
前記スライド部材が弾性体により前記転写ヘッドと反対側に付勢されることを特徴とする、
カートリッジ式塗膜転写具。
【請求項６】
請求項１乃至５のいずれか１記載のカートリッジ式塗膜転写具において、
前記スライド部材の少なくとも一部を前記ケース本体の外面より突出させたことを特徴とする、
カートリッジ式塗膜転写具。
【請求項７】
請求項１乃至６のいずれか１記載のカートリッジ式塗膜転写具において、
前記係合凸部は、前記ケース本体に前記テープカートリッジを装着する際に前記他方の内面に接触して前記弾性部を弾性変形させる傾斜面と、前記テープカートリッジを前記ケース本体から取外す際に前記他方の係合孔の縁部に接触して前記弾性部を弾性変形させる係合面とからなり、
前記係合面の接線と前記弾性部の前記表面とのなす角が９０度よりも大きいことを特徴とする、
カートリッジ式塗膜転写具。
【請求項８】
請求項７記載のカートリッジ式塗膜転写具において、
前記係合面は傾斜面及び／又は曲面であることを特徴とする、
カートリッジ式塗膜転写具。
【発明の詳細な説明】
【技術分野】
【０００１】
本発明はカートリッジ式の塗膜転写具に関し、さらに詳細に言えば、カートリッジの取り外しが簡単に行え、カートリッジの交換が容易なカートリッジ式の塗膜転写具に関する。
【背景技術】
【０００２】
従来から、文字の修正や接着剤の塗布を目的として、塗膜転写具が広く利用されている。そして、この塗膜転写具の中には、使用する修正テープや粘着テープをカートリッジとして構成することにより交換可能としたカートリッジ式のものがあり、その構成が例えば特開２００５‐３４９９４号等に開示されている。
【０００３】
このカートリッジ式塗膜転写具においては、塗膜転写具の後端に配置されたスライドする部材とカートリッジが係合し、それによりカートリッジを取り付けた際に本体からカートリッジが抜け落ちないようになっている。そのため、カートリッジの交換の際には、スライドする部材を後端側へ引いて両部材の係合を一旦外してから、カートリッジを取り替えた後再度スライド部材を先端側へスライドさせることにより、両部材を係合させるようになっている。したがって、このようなカートリッジ式塗膜転写具はカートリッジの交換に多くの操作を要し、交換が煩雑である。
【先行技術文献】
【特許文献】
【０００４】
【特許文献１】特開２００５‐３４９９４号公報
【発明の概要】
【発明が解決しようとする課題】
【０００５】
本発明は、上記問題を解決するためになされたものであり、簡単な操作でカートリッジの交換が可能なカートリッジ式塗膜転写具を提供することをその課題とする。
【課題を解決するための手段】
【０００６】
請求項１記載のカートリッジ式塗膜転写具は、ケース本体と、カートリッジケースと、該カートリッジケースに収受された、塗膜転写テープが巻かれた供給リールと、前記塗膜転写テープを巻き取る巻き取りリールと、前記塗膜転写テープが掛け回される転写ヘッドとを有し、前記ケース本体に着脱自在に取付けられるテープカートリッジと、を備えるカートリッジ式塗膜転写具であって、前記ケース本体と前記テープカートリッジの内どちらか一方は弾性変形可能な弾性部と、該弾性部の表面から突出した係合凸部とを有し、他方は前記係合凸部と係合する係合孔を有し、前記ケース本体にはスライド部材が設けられており、該スライド部材をスライドさせることにより、前記テープカートリッジを前記ケース本体に対して移動させ、前記係合凸部と前記係合孔との係合が外れることを特徴とする。本発明によれば、簡単な操作でテープカートリッジを取り外し、交換することができる。
請求項２記載のカートリッジ式塗膜転写具は、請求項１記載のカートリッジ式塗膜転写具において、前記スライド部材はテーパ面及び／又はアール状の凸面を有し、前記スライド部材をスライドさせたときに、該テーパ面及び／又はアール状の凸面が前記テープカートリッジに形成された当接部の下側に進入して当接し、前記テープカートリッジを持ち上げることにより前記係合凸部と前記係合孔との係合が外れることを特徴とする。これにより簡単な構成でスライド部材を構成することができる。
請求項３記載のカートリッジ式塗膜転写具は、請求項２記載のカートリッジ式塗膜転写具において、前記ケース本体と前記テープカートリッジは少なくとも前記転写ヘッド側の端部に前記係合凸部と前記係合孔が設けられており、前記当接部は前記テープカートリッジの、前記転写ヘッドと反対側の端部近くに設けられていることを特徴とする。これによりテープカートリッジを回転運動させて容易に取り外すことが可能となる。
請求項４記載のカートリッジ式塗膜転写具は、請求項２又は３記載のカートリッジ式塗膜転写具において、前記ケース本体の周壁と前記カートリッジケースの周壁はそれぞれ、互いに対面し、前記テープカートリッジの前記転写ヘッド側への移動を阻止し得る当接面を有し、該当接面は、前記スライド部材で前記テープカートリッジを持ち上げる際に前記テープカートリッジの移動の妨げにならない形状とされていることを特徴とする。これにより、テープカートリッジがより回転運動し易くなる。
請求項５記載のカートリッジ式塗膜転写具は、請求項１乃至４のいずれか１記載のカートリッジ式塗膜転写具において、前記スライド部材が弾性体により前記転写ヘッドと反対側に付勢されることを特徴とする。これにより、手動でスライド部材を転写ヘッドと反対側に移動させる必要が無くなる。
請求項６記載のカートリッジ式塗膜転写具は、請求項１乃至５のいずれか１記載のカートリッジ式塗膜転写具において、前記スライド部材の少なくとも一部を前記ケース本体の外面より突出させたことを特徴とする。これにより、スライド部材の視認性及び操作性が向上する。
請求項７記載のカートリッジ式塗膜転写具は、請求項１乃至６のいずれか１記載のカートリッジ式塗膜転写具において、前記係合凸部は、前記ケース本体に前記テープカートリッジを装着する際に前記他方の内面に接触して前記弾性部を弾性変形させる傾斜面と、前記テープカートリッジを前記ケース本体から取外す際に前記他方の係合孔の縁部に接触して前記弾性部を弾性変形させる係合面とからなり、前記係合面の接線と前記弾性部の前記表面とのなす角が９０度よりも大きいことを特徴とする。本発明によれば、テープカートリッジの取り外しが容易になる。
請求項８記載のカートリッジ式塗膜転写具は、請求項７記載のカートリッジ式塗膜転写具において、前記係合面は傾斜面及び／又は曲面であることを特徴とする。これにより、テープカートリッジの取り外しがさらに容易になる。
【発明の効果】
【０００７】
本発明によれば、カートリッジの交換作業を極めて容易に行うことができる。
【図面の簡単な説明】
【０００８】
【図１】本発明の具体的実施の形態に係る塗膜転写具２の正面図である。
【図２】ケース本体４の斜視図である。
【図３】テープカートリッジ１００の斜視図である。
【図４】図１におけるＡ‐Ａ線断面図である。
【図５】図１におけるＢ‐Ｂ線断面図を時計回りに９０度回転させた図である。
【図６】図１においてスライド部材４８を先端側にスライドさせた状態のＡ‐Ａ線断面図である。
【発明を実施するための形態】
【０００９】
以下、図面に基づき本願発明の具体的な実施の形態について説明する。図１は本発明の具体的な実施の形態に係るカートリッジ式塗膜転写具２（以下単に「塗膜転写具」という）の正面図，図２はケース本体４の斜視図，図３はテープカートリッジ７０の斜視図，図４は図１におけるＡ‐Ａ線断面図である。図２においてケース本体４は後端側の一部（アッパーケース３６）が切欠かれた状態で示されている。図１に示すように、塗膜転写具２はケース本体４とテープカートリッジ７０とから大略構成されている。なお、以下特に断らない限り、「先端側」とは塗膜転写具２の転写ヘッド１２０側を意味し、「後端側」とはその反対側を意味するものとする。
【００１０】
まず図１，２，４を参照してケース本体４について説明する。ケース本体４はロワーケース６とアッパーケース３６とから構成される。ロワーケース６は底壁８を備えており、この底壁８の形状は図２に示す通り、略中央部の幅が広く、そこから両側に向かって幅が狭くなっている。さらに、ロワーケース６は先端を除いて底壁８の外周に沿って略同じ高さの周壁１０が立設され、上方に向かって開いた状態となっている。底壁８の先端には周壁１０が立設されていないため、この部分に底壁８の先端側端縁及び周壁１０の先端側端縁により断面略Ｕ字上の開口１４が形成される。また、周壁１０の向かい合う先端側１０ａ，ｂうちの一方１０ａには、開口１４を形成している端縁部から一定の幅でさらに上方に伸びる延長部１２が設けられている。
【００１１】
ロワーケース６の底壁８の略中央部にはケース本体４の内方に向かって略垂直に伸びる供給支軸１６が一体的に形成されており、さらにこの供給支軸１６よりも先端側に巻き取り支軸１８が一体的に形成されている。符号２０，２２は供給支軸１６，巻き取り支軸１８の外側に嵌る中空軸部２４，２６を備えるプーリー２０，２２であり、図４に示すように断面円形のゴムベルト２８を介して連動して回転するようになっている。周壁１０の一方の先端側１０ａのうち延長部１２及びこれと連なる部分の外面には回転可能なヘッドカバー３０が軸支されており、これを図１において時計回りに回動させることによりテープカートリッジ７０の転写ヘッド１２０を保護することができるようになっている。これらの構成については既に公知のものであり、詳細な説明は省略する。底壁８の内面側には、略中央部よりも後端側において、底壁８の長手方向に対して横切るように所定の長さの略垂直な板状のばね受け部３２が設けられている（図４参照）が、これについては後述する。
【００１２】
図２を参照すると、周壁１０には後述するテープカートリッジ７０の係合爪１０２ａ，ｂ，ｃが嵌まり込む横長の係合孔３４ａ，ｂ，ｃが設けられている。具体的には、供給支軸１６に相当する位置よりも僅かに先端側にずれた位置において向かい合うように２箇所、さらに周壁１０の他方の先端側１０ｂに１箇所設けられている。なお、係合孔３４ａ，ｂ，ｃの数は係合爪１０２ａ，ｂ，ｃ同様この数に限られず、任意の数とすることができる。
【００１３】
アッパーケース３６は上壁３８とその外周に沿う周壁４７とから構成され、ロワーケース６の略中央部より右側部分をカバーするようになっている。図２に示す通り、上壁３８はテープカートリッジ７０を取り付けるために先端側が切欠かれており、その形状は周壁４７側においてロワーカートリッジ６の供給支軸１６を軸心として円弧状に切欠かれた円弧部４０と、円弧部４０の間において台形状に切欠かれた凹部４２とから形作られる。
【００１４】
上壁３８にはさらに、塗膜転写具２の前後方向に伸び、両端が同径の円弧状となっている溝４４が形成されている。この溝４４の中央には一定範囲に渡って孔４６が形成され、この溝４４及び孔４６にスライド部材４８が取り付けられている。スライド部材４８はつまみ５０と、ノック体５８とから構成されており、つまみ５０は図４に示すように傘部５２と軸部５６とからなる断面略Ｔ字状の部材であり、傘部５２の先端側には図４において上方に盛り上がる隆起部５４が形成されている。ノック体５８は、つまみ５０の軸部５６が嵌まり込む筒部６０と、この筒部６０の下端に一体的に設けられ、下側が開口した箱状の台部６２と、台部６２の先端側の側壁から所定の角度で下方に向かって傾斜するテーパ部６６とから構成される。テーパ部６６は台部６２の先端側側壁において上端から少し下がった位置から一体的に伸びており、これにより台部６２にはテーパ部６６と境界部分に段部６４が形成されている。
【００１５】
スライド部材４８は、孔４６につまみ５０の軸部５６を挿入し、その軸部５６をノック体５８の筒部６０に嵌め込むことによりアッパーケース３６に取り付けられる。このとき、つまみ５０の傘部５２が孔４６よりも前後方向に長くなっており、傘部５２が溝４４内に嵌ってその底の上に載り、スライド部材４８は溝４４に案内されて前後方向にスライドすることが可能となる。図４に示すように、台部６２はその内側にロワーケース６の底壁８に形成されたばね受け部３２を収受し、このばね受け部３２と台部６２の後端側内壁６２ａとの間に圧縮ばね６８が設けられている。そのため、スライド部材４８は通常塗膜転写具２の後端側に付勢された状態となる。なお、つまみ５０の隆起部５４はアッパーケース３６の外面から突出した状態となっており、スライドさせる際の指掛かりとなる。
【００１６】
次に図１，３，４，５を参照してテープカートリッジ７０について説明する。図５は図１におけるＢ‐Ｂ線断面図を時計回りに９０度回転させた図である。テープカートリッジ７０は、供給リール１３０及び巻き取りリール１３２を収受するカートリッジケース７２と、転写ヘッド１２０とを備える。このうち、まずカートリッジケース７２について説明する。カートリッジケース７２はケース本体４に対してアッパーケース３６の無い部分に嵌め込むことのできる形状となっており、アッパーカートリッジケース７４とロワーカートリッジケース１０８とから構成される。
【００１７】
アッパーカートリッジケース７４は、上壁７６と、一部を除きその外周に沿うように垂下する周壁９０とから構成される。図４を参照すると、上壁７６にはケース本体４の供給支軸１６，巻き取り支軸１８に対応する位置に中空の供給リール受け筒８２，巻き取りリール受け筒８４が設けられており、これらに供給リール１３０，巻き取りリール１３２が回転可能に嵌め込まれるようになっている。また、上壁７６の先端側中央には内方に窪んだヘッド固定部８６が設けられている。
【００１８】
周壁９０は上壁７６の先端縁７８及びケース本体４のアッパーケース３６の円弧部４０に対応する部分において設けられていない。その代わりに図４に示すように先端縁７８にはわずかに内側にずれた位置において抜止壁８０が立設されており、後述する転写ヘッド１２０がテープカートリッジ７０から抜け出るのを防止する。周壁９０はケース本体４のロワーケース６の延長部１２を収受するために先端側の外面が僅かにえぐられ、薄肉部９２が形成されている（図３参照）。薄肉部９２の形状は延長部１２に対応しており、テープカートリッジ７０の交換の際、薄肉部９２の縁が延長部１２の縁に当たることによりテープカートリッジ７０の移動が案内される。また、周壁９０は上壁７６のうちケース本体４の凹部４２に対応する凸部８８の端縁にも設けられているため、テープカートリッジ７０をケース本体４に取り付ける際の位置合わせが容易となる。
【００１９】
周壁９０には、ケース本体４のロワーケース６の係合孔３４ａ，ｂ，ｃそれぞれの両端に略対応する位置にそれぞれ２本ずつスリット９４ａ，ｂ，ｃが設けられており、これにより弾性変形が容易な弾性部９６ａ，ｂ，ｃが画成されている（ただし、スリット９４ｂ，ｃ及び弾性部９６ｂ，ｃは図示されていない）。弾性部９６ａ，ｂ，ｃは、スリット９４ａ，ｂ，ｃにより分割された周壁９０の一部分である壁部９８と、その先端から後述するロワーカートリッジケース１０８の底壁１１０の位置まで伸びる薄肉の垂下部１００とから構成される。
【００２０】
図３，５を参照すると、それぞれの垂下部１００の下端には外方に凸となる係合爪１０２ａ，ｂ，ｃが設けられており（ただし、係合爪ｃは図示されていない）、係合爪１０２ａ，ｂ，ｃは図５に示すように下方に行くに従って外方に傾く係合面１０４と、下方に行くに従って内方に傾く傾斜面１０６と、係合爪１０２ａ，ｂ，ｃの中の最も盛り上がった部分であり、係合面１０４と傾斜面１０６とを繋ぐ頂部１０７を備えている。係合面１０４は垂下部１００の表面に対して９０度よりも大きな角度をもって形成され、初めは直線状に伸び、頂部１０７に近づくにつれて円弧状に伸びている。他方、傾斜面１０６は係合爪１０２ａ，ｂ，ｃの頂部１０７から下方内側へ直線的に伸びている。これについては後述する。なお、本実施の形態においてはスリット９４ａ，ｂ，ｃを設けて壁部９８を含めて弾性部９６ａ，ｂ，ｃを構成したが、壁部９８を設けずに周壁９０の縁部から垂下部１００を伸ばして、垂下部のみで弾性部９６ａ，ｂ，ｃを構成してもよい。また、スリット９４ａ，ｂ，ｃの数は２本に限定されず、１本で壁部９８を画成することもできる。さらに、弾性部９６ａ，ｂ，ｃは上記異なる構成の弾性部を混在させてもよい。
【００２１】
図５に示すように、ロワーカートリッジケース１０８は、アッパーカートリッジケース７４の上壁７６の平面形状を僅かに小さくした底壁１１０と、上壁７６の凸部８８に相当する位置から立設される側壁１１１とからなる。図に示す通り、底壁１１０には供給リール孔１１２及び巻き取りリール孔１１４が設けられており、テープカートリッジ７０の取付け時にケース本体４のロワーケース６に設けられた供給支軸１６と巻き取り支軸１８が挿入されることとなる。底壁１１０の先端側にはアッパーカートリッジケース７４のヘッド固定部８６に対応する窪みであるヘッド固定部１１６が設けられ、ヘッド固定部１１６よりも先端側にはアッパーカートリッジケース７４の抜止壁８０に対応する抜止壁１１８が抜止壁８０と一定のクリアランスをもつように設けられている。符号１２０は転写ヘッドであり、カートリッジケース７２の外に突出している尖頭部１２２と、尖頭部１２２からカートリッジケース７２内に伸びる軸部１２４（図４参照）とを備えている。
【００２２】
アッパーカートリッジケース７４とロワーカートリッジケース１０８は、図４に示すように転写ヘッド１２０の軸部１２４の端部に設けられた球状の固定部１２６をヘッド固定部８６，１１６に挟持した状態で取り付けられる。また、供給リール１３０，巻き取りリール１３２が供給リール受け筒３２，巻き取りリール受け筒３４の外側に嵌り込むように配置され、供給リール１３０及び巻き取りリール１３２をテープカートリッジ７０内に収受する。なお、軸部１２４に抜止フランジ１２８が設けられており、これがアッパーカートリッジケース７４の抜止壁８０とロワーカートリッジケース１０８の抜止壁１１８に当接して転写ヘッド１２０を抜止する（図４参照）。
【００２３】
図５を参照して、テープカートリッジ７０のケース本体４への取り付けについて説明する。テープカートリッジ７０は、供給支軸３８及び巻き取り支軸４０が供給リール１３０及び巻き取りリール１３２内に入り込むように位置合わせされて取り付けられる。このときテープカートリッジ７０の垂下部１００がケース本体４の周壁１０の内側に沿って入り込み、係合爪１０２ａ，ｂ，ｃの傾斜面１０６が周壁の内側と接触することとなるが、弾性部９６ａ，ｂ，ｃが塗膜転写具２の内方に向かって弾性変形するため容易に取り付けることができる。そして、係合爪１０２ａ，ｂ，ｃが係合孔３６ａ，ｂ，ｃに入り込んだときに、壁部９８の下端とケース本体４の周壁１０の上端が当接して位置決めされる。このとき、テープカートリッジ７０とケース本体４は外面が略面一になっている。
【００２４】
次にテープカートリッジ７０のケース本体４からの取り外しについて説明する。上述の通り係合爪１０２ａ，ｂ，ｃは係合孔３６ａ，ｂ，ｃに入り込んだ状態にあり、係合爪１０２ａ，ｂ，ｃの係合面１０４が係合孔３６ａ，ｂ，ｃの上側縁部に接触して引っ掛かるため、テープカートリッジ７０がケース本体４から自然に外れるようなことはない。他方、図５に示す通り、係合面１０４が垂下部１００に対して９０度よりも大きな角度をもって形成されているため、手でテープカートリッジ７０をある程度の力でケース本体４に対して垂直（図５において上方）に引っ張るだけで、係合爪１０２ａ，ｂ，ｃが係合面１０４に沿って周壁１０の内面に乗り上げ、両部材の係合を外すことができる。また、係合面１０４にはアール（円弧）が設けられているため、係合爪１０２ａ，ｂ，ｃを容易に周壁１０の内面に乗り上げることができ、ケース本体４からより容易にテープカートリッジ７０を取り外すことが可能となる。なお、係合面１０４の形状は直線もしくは円弧状に統一させてもよい。
【００２５】
次に図４，６を参照して、スライド部材４８の操作について説明する。図６はスライド部材４８を先端側にスライドさせた状態のＡ‐Ａ線断面図である。先に説明した通り、スライド部材４８は圧縮ばね６８の作用により、通常塗膜転写具２の後端側に付勢されており、この状態ではテープカートリッジ７０とスライド部材４８は接触していない。そして、図４に示すようにスライド部材４８のテーパ部６６は高さ方向においてテープカートリッジ７０のロワーカートリッジケース１０８よりも下方まで伸びている。この状態から圧縮ばね６８の反発力に抗してスライド部材４８を先端側にスライドさせると、テープカートリッジ７０の後端部がスライド部材４８のテーパ部６６に乗り上がった状態で段部６４に当接するまで持ち上げられ、テープカートリッジ７０の２つの係合爪１０２ａ，ｂと係合孔３６ａ，ｂの係合を外すことができる。また、係合爪１０２ｃと係合孔３６ｃとは、係合爪１０２ｃの係合面１０４の円弧状の部分で僅かに係合した状態となっており、直接手でテープカートリッジ７０を引っ張る場合よりも容易にテープカートリッジ７０を取り外すことができる。なお、本実施の形態においては貫通した係合孔３６ａ，ｂ，ｃを設けたが、係合爪１０２ａ，ｂ，ｃが係合すれば良く、盲孔としてもよい。また、テーパ部６６は楔効果を考慮し、傾斜角度を４５度以下に設定するのが好ましい。さらに、本実施の形態においてはテープカートリッジ７０を持ち上げるため直線状のテーパ面を設けたが、これをアール状の凸面としてもよい。
【００２６】
図２に示すように、ケース本体４の延長部１２は、テープカートリッジ７０の薄肉部９２の縁と接触する角１３ａ，ｂにアールが付けられ、また角１３ａから１３ｂに向かって僅かに先端側へ傾斜しており、テープカートリッジ７０が容易に外れるよう作用する。すなわち、スライド部材４８により持ち上げられるテープカートリッジ７０は、先端側の係合爪１０２ｃと係合孔３６ｃを支点として図６に示すように回転運動（図６において反時計回り）をする。この際、角１３ａ，ｂにアールを付けたり、角１３ａから１３ｂに向かって傾斜させることにより、薄肉部１３８の縁と延長部１２の縁とが干渉して回転運動を邪魔することがなく、テープカートリッジ７０が滑らかに回転運動することができる。なお、スライド部材４８を使わずに手で直接テープカートリッジ７０を取り外す場合も、先端側の係合爪１０２ｃと係合孔３６ｃを支点とした同様の回転運動をさせることにより、テープカートリッジ７０を容易に取り外すことができる。
【符号の説明】
【００２７】
２      カートリッジ式塗膜転写具
４      ケース本体
６      ロワーケース
１０    周壁
３４ａ，ｂ，ｃ  係合孔
３６    アッパーケース
４８    スライド部材
６６    テーパ部
７０    テープカートリッジ
７２    カートリッジケース
７４    アッパーカートリッジケース
９６ａ，ｂ，ｃ  弾性部
１０２ａ，ｂ，ｃ  係合爪
１０４  係合面
１０６  傾斜面
１０８  ロワーカートリッジケース
１２０  転写ヘッド
【図１】
2010240972.tif 000003
【図２】
2010240972.tif 000004
【図３】
2010240972.tif 000005
【図４】
2010240972.tif 000006
【図５】
2010240972.tif 000007
【図６】
2010240972.tif 000008
【手続補正書】
【提出日】平成21年10月7日(2009.10.7)
【手続補正１】
【補正対象書類名】明細書
【補正対象項目名】０００８
【補正方法】変更
【補正の内容】
【０００８】
【図１】本発明の具体的実施の形態に係る塗膜転写具２の正面図である。
【図２】ケース本体４の斜視図である。
【図３】テープカートリッジ７０の斜視図である。
【図４】図１におけるＡ‐Ａ線断面図である。
【図５】図１におけるＢ‐Ｂ線断面図を時計回りに９０度回転させた図である。
【図６】図１においてスライド部材４８を先端側にスライドさせた状態のＡ‐Ａ線断面図である。
【手続補正２】
【補正対象書類名】明細書
【補正対象項目名】００２２
【補正方法】変更
【補正の内容】
【００２２】
アッパーカートリッジケース７４とロワーカートリッジケース１０８は、図４に示すように転写ヘッド１２０の軸部１２４の端部に設けられた球状の固定部１２６をヘッド固定部８６，１１６に挟持した状態で取り付けられる。また、供給リール１３０，巻き取りリール１３２が供給リール受け筒８２，巻き取りリール受け筒８４の外側に嵌り込むように配置され、供給リール１３０及び巻き取りリール１３２をテープカートリッジ７０内に収受する。なお、軸部１２４に抜止フランジ１２８が設けられており、これがアッパーカートリッジケース７４の抜止壁８０とロワーカートリッジケース１０８の抜止壁１１８に当接して転写ヘッド１２０を抜止する（図４参照）。
【手続補正３】
【補正対象書類名】明細書
【補正対象項目名】００２３
【補正方法】変更
【補正の内容】
【００２３】
図５を参照して、テープカートリッジ７０のケース本体４への取り付けについて説明する。テープカートリッジ７０は、供給支軸１６及び巻き取り支軸１８が供給リール１３０及び巻き取りリール１３２内に入り込むように位置合わせされて取り付けられる。このときテープカートリッジ７０の垂下部１００がケース本体４の周壁１０の内側に沿って入り込み、係合爪１０２ａ，ｂ，ｃの傾斜面１０６が周壁の内側と接触することとなるが、弾性部９６ａ，ｂ，ｃが塗膜転写具２の内方に向かって弾性変形するため容易に取り付けることができる。そして、係合爪１０２ａ，ｂ，ｃが係合孔３４ａ，ｂ，ｃに入り込んだときに、壁部９８の下端とケース本体４の周壁１０の上端が当接して位置決めされる。このとき、テープカートリッジ７０とケース本体４は外面が略面一になっている。
【手続補正４】
【補正対象書類名】明細書
【補正対象項目名】００２４
【補正方法】変更
【補正の内容】
【００２４】
次にテープカートリッジ７０のケース本体４からの取り外しについて説明する。上述の通り係合爪１０２ａ，ｂ，ｃは係合孔３４ａ，ｂ，ｃに入り込んだ状態にあり、係合爪１０２ａ，ｂ，ｃの係合面１０４が係合孔３４ａ，ｂ，ｃの上側縁部に接触して引っ掛かるため、テープカートリッジ７０がケース本体４から自然に外れるようなことはない。他方、図５に示す通り、係合面１０４が垂下部１００に対して９０度よりも大きな角度をもって形成されているため、手でテープカートリッジ７０をある程度の力でケース本体４に対して垂直（図５において上方）に引っ張るだけで、係合爪１０２ａ，ｂ，ｃが係合面１０４に沿って周壁１０の内面に乗り上げ、両部材の係合を外すことができる。また、係合面１０４にはアール（円弧）が設けられているため、係合爪１０２ａ，ｂ，ｃを容易に周壁１０の内面に乗り上げることができ、ケース本体４からより容易にテープカートリッジ７０を取り外すことが可能となる。なお、係合面１０４の形状は直線もしくは円弧状に統一させてもよい。
【手続補正５】
【補正対象書類名】明細書
【補正対象項目名】００２５
【補正方法】変更
【補正の内容】
【００２５】
次に図４，６を参照して、スライド部材４８の操作について説明する。図６はスライド部材４８を先端側にスライドさせた状態のＡ‐Ａ線断面図である。先に説明した通り、スライド部材４８は圧縮ばね６８の作用により、通常塗膜転写具２の後端側に付勢されており、この状態ではテープカートリッジ７０とスライド部材４８は接触していない。そして、図４に示すようにスライド部材４８のテーパ部６６は高さ方向においてテープカートリッジ７０のロワーカートリッジケース１０８よりも下方まで伸びている。この状態から圧縮ばね６８の反発力に抗してスライド部材４８を先端側にスライドさせると、テープカートリッジ７０の後端部がスライド部材４８のテーパ部６６に乗り上がった状態で段部６４に当接するまで持ち上げられ、テープカートリッジ７０の２つの係合爪１０２ａ，ｂと係合孔３４ａ，ｂの係合を外すことができる。また、係合爪１０２ｃと係合孔３４ｃとは、係合爪１０２ｃの係合面１０４の円弧状の部分で僅かに係合した状態となっており、直接手でテープカートリッジ７０を引っ張る場合よりも容易にテープカートリッジ７０を取り外すことができる。なお、本実施の形態においては貫通した係合孔３４ａ，ｂ，ｃを設けたが、係合爪１０２ａ，ｂ，ｃが係合すれば良く、盲孔としてもよい。また、テーパ部６６は楔効果を考慮し、傾斜角度を４５度以下に設定するのが好ましい。さらに、本実施の形態においてはテープカートリッジ７０を持ち上げるため直線状のテーパ面を設けたが、これをアール状の凸面としてもよい。
【手続補正６】
【補正対象書類名】明細書
【補正対象項目名】００２６
【補正方法】変更
【補正の内容】
【００２６】
図２に示すように、ケース本体４の延長部１２は、テープカートリッジ７０の薄肉部９２の縁と接触する角１３ａ，ｂにアールが付けられ、また角１３ａから１３ｂに向かって僅かに先端側へ傾斜しており、テープカートリッジ７０が容易に外れるよう作用する。すなわち、スライド部材４８により持ち上げられるテープカートリッジ７０は、先端側の係合爪１０２ｃと係合孔３４ｃを支点として図６に示すように回転運動（図６において反時計回り）をする。この際、角１３ａ，ｂにアールを付けたり、角１３ａから１３ｂに向かって傾斜させることにより、薄肉部９２の縁と延長部１２の縁とが干渉して回転運動を邪魔することがなく、テープカートリッジ７０が滑らかに回転運動することができる。なお、スライド部材４８を使わずに手で直接テープカートリッジ７０を取り外す場合も、先端側の係合爪１０２ｃと係合孔３４ｃを支点とした同様の回転運動をさせることにより、テープカートリッジ７０を容易に取り外すことができる。